(57)【特許請求の範囲】
【請求項１】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツの少なくとも前記番組コンテンツを放送コンテンツ記憶部に記録する記録制御手段と、
前記放送コンテンツ記憶部に記憶されている前記放送コンテンツを再生するように制御する再生制御手段と、
前記放送コンテンツに含まれるＣＭコンテンツをスキップさせるように前記記録制御手段または前記再生制御手段を制御するスキップ手段と、
前記再生制御手段により再生される前記番組コンテンツを第１の表示部に出力して表示させるように制御する表示制御手段と、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段とを備え、
前記スキップ手段は、前記再生制御手段による前記放送コンテンツの再生中に任意のＣＭコンテンツをスキップさせるためのユーザ操作に応じて、前記任意のＣＭコンテンツをスキップさせ、
前記送信制御手段は、前記スキップ手段により前記ＣＭコンテンツがスキップされた際、スキップされたＣＭコンテンツのみに関連する静止画ＣＭコンテンツを前記表示対象コンテンツとして前記携帯端末に送信し、
前記記録制御手段は、前記放送コンテンツ受信手段により受信された前記放送コンテンツに含まれるＣＭコンテンツを前記放送コンテンツ記憶部に記録するとき、各ＣＭコンテンツの開始位置および終了位置に対して、当該開始位置が前記スキップ手段によりスキップされたことを示す値がデフォルト値として設定されている開始位置フラグ情報および、当該終了位置が前記スキップ手段によりスキップされたことを示す値がデフォルト値として設定されている終了位置フラグ情報をそれぞれ付与し、
前記記録制御手段は、前記再生制御手段による前記放送コンテンツの再生中、当該放送コンテンツに含まれる各ＣＭコンテンツの開始位置が前記スキップ手段によりスキップされなかった場合には、当該開始位置に対応する開始位置フラグ情報の値を、前記スキップ手段によりスキップされていないことを示す値に設定し直す一方、当該放送コンテンツに含まれる各ＣＭコンテンツの終了位置が前記スキップ手段によりスキップされなかった場合には、当該終了位置に対応する終了位置フラグ情報の値を、前記スキップ手段によりスキップされていないことを示す値に設定し直し、
前記送信制御手段は、前記スキップ手段によりスキップされた後に前記再生制御手段により直近で再生される番組コンテンツと、当該番組コンテンツの１つ前に前記再生制御手段により再生された番組コンテンツとの間に挿入されたＣＭコンテンツのうち、前記スキップ手段によりスキップされたことを示す値が前記開始位置フラグ情報および前記終了位置フラグ情報の少なくとも何れかに設定されているＣＭコンテンツのみに関連する静止画ＣＭコンテンツを前記表示対象コンテンツとして前記携帯端末に送信することを特徴とするＣＭコンテンツ送信装置。
【請求項２】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツの少なくとも前記番組コンテンツを放送コンテンツ記憶部に記録する記録制御手段と、
前記放送コンテンツ記憶部に記憶されている前記放送コンテンツを再生するように制御する再生制御手段と、
前記放送コンテンツに含まれるＣＭコンテンツをスキップさせるように前記記録制御手段または前記再生制御手段を制御するスキップ手段と、
前記再生制御手段により再生される前記番組コンテンツを第１の表示部に出力して表示させるように制御する表示制御手段と、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段とを備え、
前記スキップ手段は、前記記録制御手段による前記放送コンテンツの記録中または前記再生制御手段による前記放送コンテンツの再生中に当該放送コンテンツに含まれるＣＭコンテンツをスキップさせ、
前記送信制御手段は、前記記録制御手段による記録処理が行われる際、前記放送コンテンツに含まれる全てのＣＭコンテンツに関連する静止画ＣＭコンテンツを前記表示対象コンテンツとして前記携帯端末に送信することを特徴とするＣＭコンテンツ送信装置。
【請求項３】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツの少なくとも前記番組コンテンツを放送コンテンツ記憶部に記録する記録制御手段と、
前記放送コンテンツ記憶部に記憶されている前記放送コンテンツを再生するように制御する再生制御手段と、
前記放送コンテンツに含まれるＣＭコンテンツをスキップさせるように前記記録制御手段または前記再生制御手段を制御するスキップ手段と、
前記再生制御手段により再生される前記番組コンテンツを第１の表示部に出力して表示させるように制御する表示制御手段と、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段とを備え、
前記スキップ手段は、前記記録制御手段による前記放送コンテンツの記録中または前記再生制御手段による前記放送コンテンツの再生中に当該放送コンテンツに含まれるＣＭコンテンツをスキップさせ、
前記送信制御手段は、前記放送コンテンツ受信手段による前記放送コンテンツの受信が開始される前に、前記放送コンテンツに含まれる全てのＣＭコンテンツに関連する静止画ＣＭコンテンツを前記表示対象コンテンツとして前記携帯端末に送信することを特徴とするＣＭコンテンツ送信装置。
【請求項４】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツの少なくとも前記番組コンテンツを放送コンテンツ記憶部に記録する記録制御手段、
前記放送コンテンツ記憶部に記憶されている前記放送コンテンツを再生するように制御する再生制御手段、
前記放送コンテンツに含まれるＣＭコンテンツをスキップさせるスキップ手段、
前記再生制御手段により再生される前記番組コンテンツを第１の表示部に出力して表示させるように制御する表示制御手段、および、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段としてコンピュータを機能させ、
前記スキップ手段が、前記再生制御手段による前記放送コンテンツの再生中に任意のＣＭコンテンツをスキップさせるためのユーザ操作に応じて、前記任意のＣＭコンテンツをスキップさせ、
前記送信制御手段が、前記スキップ手段により前記ＣＭコンテンツがスキップされた際、スキップされたＣＭコンテンツのみに関連する静止画ＣＭコンテンツを前記表示対象コンテンツとして前記携帯端末に送信し、
前記記録制御手段が、前記放送コンテンツ受信手段により受信された前記放送コンテンツに含まれるＣＭコンテンツを前記放送コンテンツ記憶部に記録するとき、各ＣＭコンテンツの開始位置および終了位置に対して、当該開始位置が前記スキップ手段によりスキップされたことを示す値がデフォルト値として設定されている開始位置フラグ情報および、当該終了位置が前記スキップ手段によりスキップされたことを示す値がデフォルト値として設定されている終了位置フラグ情報をそれぞれ付与し、
前記記録制御手段が、前記再生制御手段による前記放送コンテンツの再生中、当該放送コンテンツに含まれる各ＣＭコンテンツの開始位置が前記スキップ手段によりスキップされなかった場合には、当該開始位置に対応する開始位置フラグ情報の値を、前記スキップ手段によりスキップされていないことを示す値に設定し直す一方、当該放送コンテンツに含まれる各ＣＭコンテンツの終了位置が前記スキップ手段によりスキップされなかった場合には、当該終了位置に対応する終了位置フラグ情報の値を、前記スキップ手段によりスキップされていないことを示す値に設定し直し、
前記送信制御手段が、前記スキップ手段によりスキップされた後に前記再生制御手段により直近で再生される番組コンテンツと、当該番組コンテンツの１つ前に前記再生制御手段により再生された番組コンテンツとの間に挿入されたＣＭコンテンツのうち、前記スキップ手段によりスキップされたことを示す値が前記開始位置フラグ情報および前記終了位置フラグ情報の少なくとも何れかに設定されているＣＭコンテンツのみに関連する静止画ＣＭコンテンツを前記表示対象コンテンツとして前記携帯端末に送信するように前記コンピュータを機能させるためのコンピュータ読み取り可能なＣＭコンテンツ送信制御用プログラム。
【請求項５】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツの少なくとも前記番組コンテンツを放送コンテンツ記憶部に記録する記録制御手段、
前記放送コンテンツ記憶部に記憶されている前記放送コンテンツを再生するように制御する再生制御手段、
前記放送コンテンツに含まれるＣＭコンテンツをスキップさせるスキップ手段、
前記再生制御手段により再生される前記番組コンテンツを第１の表示部に出力して表示させるように制御する表示制御手段、および、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段としてコンピュータを機能させ、
前記スキップ手段が、前記記録制御手段による前記放送コンテンツの記録中または前記再生制御手段による前記放送コンテンツの再生中に当該放送コンテンツに含まれるＣＭコンテンツをスキップさせ、
前記送信制御手段が、前記記録制御手段による記録処理が行われる際、前記放送コンテンツに含まれる全てのＣＭコンテンツに関連する静止画ＣＭコンテンツを前記表示対象コンテンツとして前記携帯端末に送信するように前記コンピュータを機能させるためのコンピュータ読み取り可能なＣＭコンテンツ送信制御用プログラム。
【請求項６】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツの少なくとも前記番組コンテンツを放送コンテンツ記憶部に記録する記録制御手段、
前記放送コンテンツ記憶部に記憶されている前記放送コンテンツを再生するように制御する再生制御手段、
前記放送コンテンツに含まれるＣＭコンテンツをスキップさせるスキップ手段、
前記再生制御手段により再生される前記番組コンテンツを第１の表示部に出力して表示させるように制御する表示制御手段、および、
前記放送コンテンツに含まれる前記ＣＭコンテンツのうち前記スキップ手段によりスキップされる前記ＣＭコンテンツに関連する静止画ＣＭコンテンツを表示対象コンテンツとして、当該表示対象コンテンツを第２の表示部に表示させることが可能な携帯端末に送信するように制御する送信制御手段としてコンピュータを機能させ、
前記スキップ手段が、前記記録制御手段による前記放送コンテンツの記録中または前記再生制御手段による前記放送コンテンツの再生中に当該放送コンテンツに含まれるＣＭコンテンツをスキップさせ、
前記送信制御手段が、前記放送コンテンツ受信手段による前記放送コンテンツの受信が開始される前に、前記放送コンテンツに含まれる全てのＣＭコンテンツに関連する静止画ＣＭコンテンツを前記表示対象コンテンツとして前記携帯端末に送信するように前記コンピュータを機能させるためのコンピュータ読み取り可能なＣＭコンテンツ送信制御用プログラム。
【発明の詳細な説明】
【技術分野】
【０００１】
本発明は、ＣＭコンテンツ送信装置およびＣＭコンテンツ送信制御用プログラムに関し、例えば、ＣＭコンテンツをスキップさせて番組コンテンツだけを再生するＣＭスキップ機能を有する録画再生装置に用いて好適なものである。
【背景技術】
【０００２】
従来、番組本編に対応する番組コンテンツを提供する放送事業者は、スポンサーとなる企業のコマーシャルに対応するＣＭコンテンツを番組コンテンツの合間に挿入することにより、企業から広告収入を得ている。一方、企業は、広告を商品やサービスの購買につなげ、売り上げの向上を図っている。
【０００３】
しかし、ＨＤＤ（Ｈａｒｄ  Ｄｉｓｋ  Ｄｒｉｖｅ）レコーダのような録画再生装置の普及および高機能化により、放送される放送コンテンツ（番組コンテンツの中にＣＭコンテンツが挿入されたもの）の全体を一旦ハードディスクに記録して、その後ＣＭコンテンツをスキップさせて番組コンテンツだけを再生すること（ＣＭスキップ機能）がユーザ操作により簡単にできるようになってきている。このようなＣＭスキップ機能は、ユーザにしてみれば便利な機能であるが、企業側にしてみれば、スキップされる回数分だけユーザによるＣＭコンテンツの視聴回数が減り、ＣＭコンテンツの宣伝効果が低下するという問題があった。
【０００４】
このような問題に対し、本編情報（番組コンテンツ、以下同じ）の間にＣＭ情報（ＣＭコンテンツ、以下同じ）が挿入された放送番組データ（放送コンテンツ）を再生する場合、ＣＭ情報をスキップして本編情報を連続的に再生するとともに、スキップするＣＭ情報を本編情報の上に小画面として合成表示したり、ＣＭ情報と本編情報とを２画面表示したりする技術が提案されている（例えば、特許文献１を参照）。特許文献１に記載の技術によれば、本編情報を連続して視聴するというユーザの利便性を確保しながら、ユーザにＣＭ情報を視聴させたいという企業の意図に沿うことができる。
【先行技術文献】
【特許文献】
【０００５】
【特許文献１】特開２００４−３２８５４６号公報
【発明の概要】
【発明が解決しようとする課題】
【０００６】
しかしながら、上記特許文献１に記載の技術では、ユーザは本編情報を連続して視聴することができるとは言え、スキップする全てのＣＭ情報が本編情報の上に小画面として合成表示されるため、ＣＭ情報の存在に気が散ってしまい、ユーザに本編情報の視聴しづらさを感じさせてしまうという問題があった。また、スキップするＣＭ情報と本編情報とが２画面表示されると、ＣＭ情報の表示範囲分だけ本編情報の表示範囲が狭くなり、ユーザに本編情報の視聴しづらさを感じさせてしまうという問題があった。
【０００７】
本発明は、このような問題を解決するために成されたものであり、ＣＭコンテンツをスキップして番組コンテンツを連続的に再生する場合、番組コンテンツの視聴しづらさをユーザに感じさせないようにしつつ、スキップさせるＣＭコンテンツの宣伝効果を維持できるようにすることを目的とする。
【課題を解決するための手段】
【０００８】
上記した課題を解決するために、本発明では、番組本編に対応する番組コンテンツと、コマーシャルに対応するＣＭコンテンツとを含む放送コンテンツの記録中または再生中にＣＭコンテンツをスキップさせる場合、再生される番組コンテンツを第１の表示部に表示させる一方、スキップさせるＣＭコンテンツに関連する静止画ＣＭコンテンツを携帯端末に送信し、当該携帯端末に設けられた第２の表示部に表示させるようにしている。
特に、本発明では、放送コンテンツの再生中にユーザ操作に応じて任意のＣＭコンテンツをスキップさせ、ＣＭコンテンツがスキップされた際、スキップされたＣＭコンテンツのみに関連する静止画ＣＭコンテンツを表示対象コンテンツとして携帯端末に送信し、スキップされた後に直近で再生される番組コンテンツと、当該番組コンテンツの１つ前に再生された番組コンテンツとの間に挿入されたＣＭコンテンツのうち、スキップされたことを示す値が開始位置フラグ情報および終了位置フラグ情報の少なくとも何れかに設定されているＣＭコンテンツのみに関連する静止画ＣＭコンテンツを表示対象コンテンツとして携帯端末に送信するようにしている。
また、本発明の他の態様では、放送コンテンツの記録中または放送コンテンツの再生中に当該放送コンテンツに含まれるＣＭコンテンツをスキップさせ、記録処理が行われる際、放送コンテンツに含まれる全てのＣＭコンテンツに関連する静止画ＣＭコンテンツを表示対象コンテンツとして携帯端末に送信するようにしている。
また、本発明の他の態様では、放送コンテンツの記録中または放送コンテンツの再生中に当該放送コンテンツに含まれるＣＭコンテンツをスキップさせ、放送コンテンツの受信が開始される前に、放送コンテンツに含まれる全てのＣＭコンテンツに関連する静止画ＣＭコンテンツを表示対象コンテンツとして携帯端末に送信するようにしている。
【発明の効果】
【０００９】
上記のように構成した本発明によれば、放送コンテンツの中からスキップされるＣＭコンテンツであっても、当該ＣＭコンテンツに関連する静止画ＣＭコンテンツがユーザの携帯端末に送信されて表示されるため、スキップされるＣＭに対するユーザの視聴機会が減ることはない。よって、ＣＭをスキップして番組本編を早く見たいというユーザの希望を満たしつつ、ＣＭコンテンツの宣伝効果を維持することができる。また、スキップされるＣＭコンテンツに関連する静止画ＣＭコンテンツは、番組コンテンツが表示される第１の表示部とは別の第２の表示部に表示されるため、番組コンテンツの視聴中に静止画ＣＭコンテンツの存在に気が散ったり、番組コンテンツの表示範囲が狭くなったりするといったことは発生せず、番組コンテンツの視聴しづらさをユーザに感じさせないようにすることができる。
【図面の簡単な説明】
【００１０】
【図１】第１の実施形態によるＣＭコンテンツ表示システムの構成例を示すブロック図である。
【図２】第１の実施形態による開始位置フラグ情報および終了位置フラグ情報の例を示す図である。
【図３】第１の実施形態による表示画面例を示す図である。
【図４】第１の実施形態の録画再生装置による記録制御動作例を示すフローチャートである。
【図５】第１の実施形態の録画再生装置による再生制御および送信制御の動作例を示すフローチャートである。
【図６】第２の実施形態によるＣＭコンテンツ表示システムの構成例を示すブロック図である。
【図７】第２の実施形態の録画再生装置による再生制御および送信制御の動作例を示すフローチャートである。
【図８】第３の実施形態によるＣＭコンテンツ表示システムの構成例を示すブロック図である。
【図９】第３の実施形態の録画再生装置による記録制御および送信制御の動作例を示すフローチャートである。
【図１０】第３の実施形態の録画再生装置による再生制御動作例を示すフローチャートである。
【図１１】第４の実施形態によるＣＭコンテンツ表示システムの構成例を示すブロック図である。
【図１２】第４の実施形態の録画再生装置による録画予約および送信制御の動作例を示すフローチャートである。
【発明を実施するための形態】
【００１１】
以下、本発明の第１の実施形態を図面に基づいて説明する。図１は、本発明のＣＭコンテンツ送信装置を備えたＣＭコンテンツ表示システム１００の構成例を示すブロック図である。図１に示すように、ＣＭコンテンツ表示システム１００は、放送局１２０、ＣＭ情報提供サーバ１４０、録画再生装置１６０（本発明のＣＭコンテンツ送信装置に対応）、ＣＭ転送サーバ１８０および携帯端末２００を備えて構成されている。
【００１２】
ＣＭ情報提供サーバ１４０は、例えば放送局１２０の営業、編成、放送までを一貫して管理することが可能な営放システムと連動し、番組コンテンツやＣＭコンテンツなどの放送用素材の管理を行う管理システム内に設置される。録画再生装置１６０は、例えば、ユーザの自宅内に設置される。ＣＭ転送サーバ１８０は、例えば、ＣＭ情報提供サーバ１４０と同様に管理システム内に設置される。携帯端末２００は、例えば、録画再生装置１６０を使用するユーザが所持している。
【００１３】
放送局１２０と録画再生装置１６０との間は放送回線にて接続されている。また、ＣＭ情報提供サーバ１４０と録画再生装置１６０との間はインターネット回線にて接続されている。また、録画再生装置１６０とＣＭ転送サーバ１８０との間はインターネット回線にて接続されている。また、ＣＭ転送サーバ１８０と携帯端末２００との間はインターネット回線にて接続されている。
【００１４】
放送局１２０は、番組本編に対応する番組コンテンツと、コマーシャルに対応するＣＭコンテンツとを含む放送コンテンツを録画再生装置１６０に送信する。各放送コンテンツには、その放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が付与されている。
【００１５】
次に、ＣＭ情報提供サーバ１４０の構成について説明する。図１に示すように、ＣＭ情報提供サーバ１４０は、ＣＭ放送情報記憶部３００、ＣＭメタ情報記憶部３２０、ＣＭ放送情報送信手段３４０およびＣＭメタ情報送信手段３６０を備えて構成されている。
【００１６】
ＣＭ放送情報記憶部３００は、放送局１２０から録画再生装置１６０に送信される放送コンテンツに含まれる各ＣＭコンテンツのＣＭ放送情報を営放システム等から取得して記憶する。ＣＭ放送情報には、ＣＭコンテンツを一意に特定可能なＣＭ−ＩＤ、当該ＣＭコンテンツの放送種別（例えば、地上波放送、ＢＳ放送、ＣＳ放送など）を示す放送種別情報、当該ＣＭコンテンツの放送チャンネルを示す放送チャンネル情報、当該ＣＭコンテンツの放送開始時間を示す放送開始時間情報、および、当該ＣＭコンテンツの放送終了時間を示す放送終了時間情報、当該ＣＭコンテンツの対象となる放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が含まれる。
【００１７】
ＣＭメタ情報記憶部３２０は、放送局１２０から録画再生装置１６０に送信される放送コンテンツに含まれる各ＣＭコンテンツのＣＭメタ情報を営放システム等から取得して記憶する。ＣＭメタ情報には、ＣＭコンテンツを一意に特定可能なＣＭ−ＩＤ、当該ＣＭコンテンツのタイトルを示すタイトル情報、当該ＣＭコンテンツの広告主を示す広告主情報、当該ＣＭコンテンツで扱う商品名・サービス名を示す商品・サービス名情報、当該ＣＭコンテンツに関連する広告表示用の静止画ＣＭコンテンツ、当該ＣＭコンテンツに関連するＷｅｂサイトを識別するためのリンク先ＵＲＬを示すリンク先ＵＲＬ情報、当該ＣＭコンテンツの放送期間を示す放送期間情報、当該ＣＭコンテンツの出演者を示す出演者情報、および当該ＣＭコンテンツの製作会社を示す製作会社情報、当該ＣＭコンテンツの対象となる放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が含まれる。
【００１８】
本実施形態では、ＣＭ情報提供サーバ１４０は、営放システム等からＣＭ放送情報およびＣＭメタ情報を取得し、ＣＭ放送情報記憶部３００およびＣＭメタ情報記憶部３２０にそれぞれ記録する。なお、ＣＭ情報提供サーバ１４０を管理する管理者が、ＣＭ放送情報およびＣＭメタ情報を専門に販売する会社から当該ＣＭ放送情報およびＣＭメタ情報を購入してＣＭ放送情報記憶部３００およびＣＭメタ情報記憶部３２０にそれぞれ記録するようにしても良い。
【００１９】
ＣＭ放送情報送信手段３４０は、録画再生装置１６０のＣＭ放送情報受信手段４２０からイベントＩＤを含むＣＭ情報取得要求が送られてきた場合、当該イベントＩＤに関連する全てのＣＭ放送情報をＣＭ放送情報記憶部３００から取り出してＣＭ放送情報受信手段４２０に送信する。
【００２０】
ＣＭメタ情報送信手段３６０は、録画再生装置１６０のＣＭ放送情報受信手段４２０からＣＭ放送情報送信手段３４０に送られてきたＣＭ情報取得要求に含まれるイベントＩＤをＣＭ放送情報送信手段３４０から取得し、当該イベントＩＤに関連する全てのＣＭメタ情報をＣＭメタ情報記憶部３２０から取り出してＣＭメタ情報受信手段４４０に送信する。
【００２１】
ここでは、ＣＭメタ情報送信手段３６０がＣＭ放送情報送信手段３４０からイベントＩＤを取得する例について説明したが、これに限定されない。例えば、録画再生装置１６０のＣＭ放送情報受信手段４２０がＣＭメタ情報受信手段４４０にイベントＩＤを通知し、当該イベントＩＤを含むＣＭ情報取得要求をＣＭメタ情報受信手段４４０がＣＭメタ情報送信手段３６０に送信してもよい。
【００２２】
次に、録画再生装置１６０の構成について説明する。図１に示すように、録画再生装置１６０は、録画予約情報記憶部３８０、放送コンテンツ受信手段４００、ＣＭ放送情報受信手段４２０、ＣＭメタ情報受信手段４４０、記録制御手段４６０、放送コンテンツ記憶部４８０、ＣＭ情報記憶部５００、操作受付手段５２０、再生制御手段５４０、表示制御手段５６０、スキップ手段６００、ユーザ特定情報記憶部６２０および送信制御手段６４０を備えて構成されている。なお、録画再生装置１６０には、放送コンテンツを表示するための第１の表示部５８０が接続されている。
【００２３】
録画予約情報記憶部３８０は、放送コンテンツの録画予約に関する録画予約情報を記憶する。録画予約情報には、録画予約に係る放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、当該放送コンテンツの録画開始時間を示す録画開始時間情報、および、当該放送コンテンツの録画終了時間を示す録画終了時間情報が含まれる。
【００２４】
放送コンテンツ受信手段４００は、録画予約情報記憶部３８０に記憶されている録画予約情報を参照し、現在の時間が録画予約の録画開始時間になった場合、当該録画予約に係る放送コンテンツを放送局１２０から受信する。そして、放送コンテンツ受信手段４００は、受信した各放送コンテンツに付与されているイベントＩＤをＣＭ放送情報受信手段４２０に出力する。また、放送コンテンツ受信手段４００は、受信した放送コンテンツを記録制御手段４６０に出力する。
【００２５】
ＣＭ放送情報受信手段４２０は、放送コンテンツ受信手段４００からイベントＩＤが出力された場合、そのイベントＩＤを含むＣＭ情報取得要求をＣＭ情報提供サーバ１４０のＣＭ放送情報送信手段３４０に送信する。その後、ＣＭ放送情報受信手段４２０は、ＣＭ放送情報送信手段３４０から送信されたＣＭ放送情報を受信して記録制御手段４６０に出力する。
【００２６】
ＣＭメタ情報受信手段４４０は、上述のＣＭ情報取得要求に対する応答としてＣＭ情報提供サーバ１４０のＣＭメタ情報送信手段３６０から送信されたＣＭメタ情報を受信して記録制御手段４６０に出力する。
【００２７】
記録制御手段４６０は、操作受付手段５２０により放送コンテンツの録画予約を入力する操作が受け付けられた場合、その録画予約に関する録画予約情報を録画予約情報記憶部３８０に記録する。また、記録制御手段４６０は、放送コンテンツ受信手段４００から放送コンテンツが出力された場合、その放送コンテンツを放送コンテンツ記憶部４８０に記録する。また、記録制御手段４６０は、ＣＭ放送情報受信手段４２０からＣＭ放送情報が出力された場合、そのＣＭ放送情報をＣＭ情報記憶部５００に記録する。また、記録制御手段４６０は、ＣＭメタ情報受信手段４４０からＣＭメタ情報が出力された場合、そのＣＭメタ情報をＣＭ情報記憶部５００に記録する。
【００２８】
また、記録制御手段４６０は、放送コンテンツ受信手段４００から出力された放送コンテンツを放送コンテンツ記憶部４８０に記録する際、ＣＭ放送情報受信手段４２０から出力されたＣＭ放送情報に含まれる放送開始時間情報および放送終了時間情報を参照し、当該放送コンテンツに含まれる各ＣＭコンテンツの開始位置および終了位置に対して、当該開始位置がスキップ手段６００によりスキップされたことを示す値がデフォルト値として設定されている開始位置フラグ情報および、当該終了位置がスキップ手段６００によりスキップされたことを示す値がデフォルト値として設定されている終了位置フラグ情報をそれぞれ付与する。そして、記録制御手段４６０は、それぞれのフラグ情報をＣＭ情報記憶部５００に記録する。
【００２９】
また、記録制御手段４６０は、再生制御手段５４０による放送コンテンツの再生中、スキップ手段６００によりスキップされなかった開始位置に対応する開始位置フラグ情報の値を、スキップ手段６００によりスキップされていないことを示す値に設定し直す。また、記録制御手段４６０は、再生制御手段５４０による放送コンテンツの再生中、スキップ手段６００によりスキップされなかった終了位置に対応する終了位置フラグ情報の値を、スキップ手段６００によりスキップされていないことを示す値に設定し直す。
【００３０】
図２（ａ）は、放送コンテンツ受信手段４００から出力された放送コンテンツを放送コンテンツ記憶部４８０に記録する際、放送コンテンツに含まれる各ＣＭコンテンツの開始位置および終了位置に対して、開始位置フラグ情報および終了位置フラグ情報をそれぞれ付与する例を模式的に示す図である。図２（ａ）に示すように、放送コンテンツ内において、番組コンテンツＡと番組コンテンツＢとの間には、それぞれ３０秒間のＣＭコンテンツＡ、ＣＭコンテンツＢ、ＣＭコンテンツＣおよびＣＭコンテンツＤが挿入されている。
【００３１】
このような場合において、記録制御手段４６０は、ＣＭコンテンツＡの開始位置および終了位置に対して、開始位置フラグ情報９００および終了位置フラグ情報９１０をそれぞれ付与する。また、記録制御手段４６０は、ＣＭコンテンツＢの開始位置および終了位置に対して、開始位置フラグ情報９２０および終了位置フラグ情報９３０をそれぞれ付与する。また、記録制御手段４６０は、ＣＭコンテンツＣの開始位置および終了位置に対して、開始位置フラグ情報９４０および終了位置フラグ情報９５０をそれぞれ付与する。また、記録制御手段４６０は、ＣＭコンテンツＤの開始位置および終了位置に対して、開始位置フラグ情報９６０および終了位置フラグ情報９７０をそれぞれ付与する。
【００３２】
図２（ｂ）は、再生制御手段５４０による放送コンテンツの再生中、ＣＭコンテンツの開始位置および終了位置に対して付与された開始位置フラグ情報および終了位置フラグ情報の値を設定し直す例を模式的に示す図である。図２（ｂ）に示す例では、ＣＭコンテンツＢの途中から番組コンテンツＢの途中までスキップ手段６００によりスキップされている。
【００３３】
このような場合において、記録制御手段４６０は、ＣＭコンテンツＡの開始位置がスキップ手段６００によりスキップされなかったため、当該開始位置に対応する開始位置フラグ情報９００の値を、スキップ手段６００によりスキップされていないことを示す値に設定し直す。また、記録制御手段４６０は、ＣＭコンテンツＡの終了位置がスキップ手段６００によりスキップされなかったため、当該終了位置に対応する終了位置フラグ情報９１０の値を、スキップ手段６００によりスキップされていないことを示す値に設定し直す。また、記録制御手段４６０は、ＣＭコンテンツＢの開始位置がスキップ手段６００によりスキップされなかったため、当該開始位置に対応する開始位置フラグ情報９２０の値を、スキップ手段６００によりスキップされていないことを示す値に設定し直す。
【００３４】
操作受付手段５２０は、操作部（図示せず、以下同じ）を介して、放送コンテンツの録画予約を入力する操作を受け付ける。そして、操作受付手段５２０は、放送コンテンツの録画予約に関する録画予約情報を記録制御手段４６０に出力する。記録制御手段４６０は、操作受付手段５２０から出力された録画予約情報を録画予約情報記憶部３８０に記録する。
【００３５】
また、操作受付手段５２０は、操作部を介して、放送コンテンツ記憶部４８０に記憶されている放送コンテンツの中から所望の放送コンテンツの再生を要求する操作を受け付ける。そして、操作受付手段５２０は、放送コンテンツの再生要求を再生制御手段５４０に出力する。
【００３６】
また、操作受付手段５２０は、操作部を介して、放送コンテンツの再生中に任意のＣＭコンテンツのスキップを要求する操作を受け付ける。そして、操作受付手段５２０は、ＣＭコンテンツのスキップ要求をスキップ手段６００に出力する。
【００３７】
再生制御手段５４０は、所望の放送コンテンツの再生要求が操作受付手段５２０から出力された場合、再生要求に係る放送コンテンツを放送コンテンツ記憶部４８０から取り出して再生するように制御する。また、再生制御手段５４０は、スキップ手段６００の制御を受けて、再生中の放送コンテンツに含まれるＣＭコンテンツをスキップさせる。
【００３８】
また、再生制御手段５４０は、放送コンテンツの再生中、当該放送コンテンツに含まれる各ＣＭコンテンツの開始位置がスキップ手段６００によりスキップされたか否かを判定する。そして、スキップされなかったと判定した場合には、再生制御手段５４０は、その旨を記録制御手段４６０に通知する。記録制御手段４６０は、スキップされなかった開始位置に対応する開始位置フラグ情報の値を、スキップ手段６００によりスキップされていないことを示す値に設定し直す。なお、開始位置がスキップされたと判定した場合には、再生制御手段５４０は何もしない。
【００３９】
また、再生制御手段５４０は、放送コンテンツの再生中、当該放送コンテンツに含まれる各ＣＭコンテンツの終了位置がスキップ手段６００によりスキップされたか否かを判定する。そして、スキップされなかったと判定した場合には、再生制御手段５４０は、その旨を記録制御手段４６０に通知する。記録制御手段４６０は、スキップされなかった終了位置に対応する終了位置フラグ情報の値を、スキップ手段６００によりスキップされていないことを示す値に設定し直す。なお、終了位置がスキップされたと判定した場合には、再生制御手段５４０は何もしない。
【００４０】
表示制御手段５６０は、再生制御手段５４０により再生される放送コンテンツを第１の表示部５８０に出力して表示させるように制御する。図３（ａ）は、再生制御手段５４０により再生される放送コンテンツ（番組コンテンツ、ＣＭコンテンツ）を図２（ａ）に示す順序に従って第１の表示部５８０に全画面で表示させる例を示す図である。
【００４１】
スキップ手段６００は、ＣＭコンテンツのスキップ要求が操作受付手段５２０から出力された場合、スキップ要求に係るＣＭコンテンツをスキップさせるように再生制御手段５４０を制御する。本実施形態では、スキップ手段６００は、一定時間（例えば、９０秒）単位でスキップ処理を行わせるように再生制御手段５４０を制御する。ここで、スキップ処理とは、早送りで再生させる処理または再生位置をスキップ終了位置まで一気に飛ばす処理などである。図２（ｂ）に示す例では、ＣＭコンテンツのスキップ要求が操作受付手段５２０から出力されることによって、スキップ手段６００は、９０秒間（ＣＭコンテンツＢの途中から番組コンテンツＢの途中まで）、スキップ処理を行わせるように再生制御手段５４０を制御する。
【００４２】
なお、番組コンテンツがモノラル放送で放送される一方、ＣＭコンテンツがステレオ放送で放送されることが多い実態を鑑みて、ＣＭコンテンツのスキップ要求が操作受付手段５２０から出力されたとき、ステレオ放送（ＣＭコンテンツ）からモノラル放送（番組コンテンツ）に切り替わるタイミングまでスキップ処理を行わせるように再生制御手段５４０を制御しても良い。また、番組コンテンツよりＣＭコンテンツの方が、単位時間あたりの平均音量が大きいことが多い実態を鑑みて、ＣＭコンテンツのスキップ要求が操作受付手段５２０から出力されたとき、単位時間あたりの平均音量が所定値以上低くなるタイミングまでスキップ処理を行わせるように再生制御手段５４０を制御しても良い。
【００４３】
ユーザ特定情報記憶部６２０は、録画再生装置１６０を使用するユーザを一意に特定可能なユーザ特定情報（ユーザＩＤ）を記憶している。このユーザＩＤは、ユーザが録画再生装置１６０を購入したときに設定する情報である。送信制御手段６４０は、再生制御手段５４０により再生される放送コンテンツに含まれるＣＭコンテンツのうちスキップ手段６００によりスキップされたＣＭコンテンツのみに関連する静止画ＣＭコンテンツを表示対象コンテンツとしてＣＭ転送サーバ１８０に送信する。
【００４４】
具体的には、送信制御手段６４０は、ＣＭ情報記憶部５００に記憶されている各ＣＭコンテンツの開始位置フラグ情報および終了位置フラグ情報を参照し、スキップ手段６００によりスキップされた直後に再生制御手段５４０により再生される番組コンテンツと、当該番組コンテンツの１つ前に再生制御手段５４０により再生された番組コンテンツとの間に挿入されたＣＭコンテンツのうち、スキップ手段６００によりスキップされたことを示す値が開始位置フラグ情報および終了位置フラグ情報の少なくとも何れかに設定されているＣＭコンテンツを特定する。送信制御手段６４０は、特定したＣＭコンテンツのＣＭ−ＩＤに対応する静止画ＣＭコンテンツをＣＭ情報記憶部５００から取り出す。そして、送信制御手段６４０は、取り出した静止画ＣＭコンテンツおよび、ユーザ特定情報記憶部６２０に記憶されているユーザＩＤをＣＭ転送サーバ１８０に送信する。
【００４５】
図２（ｂ）の例では、送信制御手段６４０は、再生制御手段５４０により再生されている放送コンテンツの中で、スキップ手段６００によりスキップされた直後に再生される番組コンテンツＢと、その番組コンテンツＢの１つ前に再生された番組コンテンツＡとの間に挿入されたＣＭコンテンツＡ〜Ｄのうち、スキップ手段６００によりスキップされたことを示す値が開始位置フラグ情報および終了位置フラグ情報の少なくとも何れかに設定されているＣＭコンテンツＢ〜Ｄを特定する。そして、送信制御手段６４０は、特定したＣＭコンテンツＢ〜ＤのＣＭ−ＩＤに対応する静止画ＣＭコンテンツＢ〜Ｄおよび、ユーザ特定情報記憶部６２０に記憶されているユーザＩＤをＣＭ転送サーバ１８０に送信する。
【００４６】
次に、ＣＭ転送サーバ１８０の構成について説明する。図１に示すように、ＣＭ転送サーバ１８０は、ユーザ情報記憶部７００および静止画ＣＭコンテンツ転送手段７２０を備えて構成されている。
【００４７】
ユーザ情報記憶部７００は、録画再生装置１６０を使用するユーザに関するユーザ情報を記憶している。ユーザ情報には、ユーザを一意に特定可能なユーザＩＤ、および、当該ユーザが所持している携帯端末２００のメールアドレスを示すメールアドレス情報が含まれる。なお、ユーザ情報は、ユーザが携帯端末２００の操作部を介してユーザ情報を入力すると、携帯端末２００からＣＭ転送サーバ１８０に送信されてユーザ情報記憶部７００に記録される。
【００４８】
静止画ＣＭコンテンツ転送手段７２０は、録画再生装置１６０の送信制御手段６４０から送信された静止画ＣＭコンテンツ（録画再生装置１６０においてスキップされたＣＭコンテンツに関連する静止画ＣＭコンテンツ）およびユーザＩＤを受信する。静止画ＣＭコンテンツ転送手段７２０は、ユーザ情報記憶部７００を参照して、受信したユーザＩＤに対応するメールアドレス情報を特定する。そして、静止画ＣＭコンテンツ転送手段７２０は、特定したメールアドレス情報により示されるメールアドレスを用いて、送信制御手段６４０から受信した静止画ＣＭコンテンツを電子メールで携帯端末２００に送信する。
【００４９】
最後に、携帯端末２００の構成について説明する。図１に示すように、携帯端末２００は、静止画ＣＭコンテンツ受信手段８００、静止画ＣＭコンテンツ記憶部８２０、操作受付手段８４０、表示制御手段８６０および第２の表示部８８０を備えて構成されている。
【００５０】
静止画ＣＭコンテンツ受信手段８００は、ＣＭ転送サーバ１８０の静止画ＣＭコンテンツ転送手段７２０から送信された静止画ＣＭコンテンツ（録画再生装置１６０においてスキップされたＣＭコンテンツに関連する静止画ＣＭコンテンツ）を受信して静止画ＣＭコンテンツ記憶部８２０に記録する。
【００５１】
操作受付手段８４０は、携帯端末２００に設けられた操作部（図示せず、以下同じ）を介して、静止画ＣＭコンテンツ記憶部８２０に記憶されている静止画ＣＭコンテンツの表示を要求する操作を受け付ける。そして、操作受付手段８４０は、静止画ＣＭコンテンツの表示要求を表示制御手段８６０に出力する。
【００５２】
表示制御手段８６０は、静止画ＣＭコンテンツの表示要求が操作受付手段８４０から出力された場合、表示要求に係る静止画ＣＭコンテンツを静止画ＣＭコンテンツ記憶部８２０から取り出して第２の表示部８８０に表示するように制御する。
【００５３】
図３（ｂ）は、静止画ＣＭコンテンツ記憶部８２０に記憶されている静止画ＣＭコンテンツを第２の表示部８８０に表示させる例を示す図である。図３（ｂ）に示すように、図２（ｂ）の例で録画再生装置１６０においてスキップされたＣＭコンテンツＢ、ＣＭコンテンツＣおよびＣＭコンテンツＤにそれぞれ関連する静止画ＣＭコンテンツＢ、静止画ＣＭコンテンツＣおよび静止画ＣＭコンテンツＤが全て同じ大きさで上から表示される。
【００５４】
なお、図３（ｂ）において、ＣＭコンテンツの放送時間に応じて、第２の表示部８８０に表示される静止画ＣＭコンテンツの大きさを変えるようにしても良い。つまり、ＣＭコンテンツの放送時間が長ければ、第２の表示部８８０に表示される静止画ＣＭコンテンツの大きさを大きくし、ＣＭコンテンツの放送時間が短ければ、第２の表示部８８０に表示される静止画ＣＭコンテンツの大きさを小さくする。この場合、静止画ＣＭコンテンツに対応するＣＭコンテンツの放送開始時間情報および放送終了時間情報も、当該静止画ＣＭコンテンツに関連付けて、録画再生装置１６０からＣＭ転送サーバ１８０を介して携帯端末２００に送信する。そして、携帯端末２００では、放送終了時間情報により示される放送終了時間から、放送開始時間情報により示される放送開始時間を引いた時間をＣＭコンテンツの放送時間として求める。
【００５５】
次に、第１の実施形態の録画再生装置１６０による記録制御動作について説明する。図４は、第１の実施形態の録画再生装置１６０による記録制御動作例を示すフローチャートである。図４におけるステップＳ１００の処理は、例えば、現在の時間が、録画予約の録画開始時間になったことにより開始する。
【００５６】
まず、放送コンテンツ受信手段４００は、録画予約に係る放送コンテンツを放送局１２０から受信する（ステップＳ１００）。そして、放送コンテンツ受信手段４００は、受信した各放送コンテンツに付与されているイベントＩＤをＣＭ放送情報受信手段４２０に出力する。また、放送コンテンツ受信手段４００は、受信した放送コンテンツを記録制御手段４６０に出力する。
【００５７】
次に、記録制御手段４６０は、放送コンテンツ受信手段４００から出力された放送コンテンツを放送コンテンツ記憶部４８０に記録する（ステップＳ１２０）。次に、ＣＭ放送情報受信手段４２０は、放送コンテンツ受信手段４００から出力されたイベントＩＤを含むＣＭ情報取得要求をＣＭ情報提供サーバ１４０のＣＭ放送情報送信手段３４０に送信し、その応答としてＣＭ放送情報送信手段３４０から送信されたＣＭ放送情報を受信し記録制御手段４６０に出力する（ステップＳ１４０）。
【００５８】
次に、ＣＭメタ情報受信手段４４０は、上述のＣＭ情報取得要求に対する応答としてＣＭ情報提供サーバ１４０のＣＭメタ情報送信手段３６０から送信されたＣＭメタ情報を受信し記録制御手段４６０に出力する（ステップＳ１６０）。
【００５９】
次に、記録制御手段４６０は、ＣＭ放送情報受信手段４２０から出力されたＣＭ放送情報、および、ＣＭメタ情報受信手段４４０から出力されたＣＭメタ情報をＣＭ情報記憶部５００に記録する（ステップＳ１８０）。
【００６０】
最後に、記録制御手段４６０は、ＣＭ放送情報受信手段４２０から出力されたＣＭ放送情報に含まれる放送開始時間情報および放送終了時間情報を参照し、放送コンテンツ受信手段４００から出力された放送コンテンツに含まれる各ＣＭコンテンツの開始位置および終了位置に対して、開始位置フラグ情報および終了位置フラグ情報をそれぞれ付与する（ステップＳ２００）。そして、記録制御手段４６０は、それぞれのフラグ情報をＣＭ情報記憶部５００に記録する。ステップＳ２００の処理が完了することによって、録画再生装置１６０は図４における処理を終了する。
【００６１】
次に、第１の実施形態の録画再生装置１６０による再生制御および送信制御の動作について説明する。図５は、第１の実施形態の録画再生装置１６０による再生制御および送信制御の動作例を示すフローチャートである。図５におけるステップＳ３００の処理は、例えば、録画再生装置１６０が起動することにより開始する。
【００６２】
まず、操作受付手段５２０は、操作部を介して、放送コンテンツ記憶部４８０に記憶されている放送コンテンツの中から所望の放送コンテンツの再生を要求する操作を受け付けたか否かについて判定する（ステップＳ３００）。もし、放送コンテンツの再生を要求する操作を受け付けていないと操作受付手段５２０にて判定した場合（ステップＳ３００にてＮＯ）、処理はステップＳ３００に遷移する。
【００６３】
一方、放送コンテンツの再生を要求する操作を受け付けたと操作受付手段５２０にて判定した場合（ステップＳ３００にてＹＥＳ）、操作受付手段５２０は、放送コンテンツの再生要求を再生制御手段５４０に出力する。再生制御手段５４０は、操作受付手段５２０から出力された再生要求を受けて、再生要求に係る放送コンテンツを放送コンテンツ記憶部４８０から取り出し再生を開始する（ステップＳ３２０）。
【００６４】
次に、操作受付手段５２０は、操作部を介して、任意のＣＭコンテンツのスキップを要求する操作を受け付けたか否かについて判定する（ステップＳ３４０）。もし、ＣＭコンテンツのスキップを要求する操作を受け付けていないと操作受付手段５２０にて判定した場合（ステップＳ３４０にてＮＯ）、再生制御手段５４０は、現在の再生位置が、ＣＭコンテンツの開始位置を過ぎたか否かについて判定する（ステップＳ３６０）。
【００６５】
もし、ＣＭコンテンツの開始位置を過ぎていないと再生制御手段５４０にて判定した場合（ステップＳ３６０にてＮＯ）、処理はステップＳ４００に遷移する。一方、ＣＭコンテンツの開始位置を過ぎたと再生制御手段５４０にて判定した場合（ステップＳ３６０にてＹＥＳ）、再生制御手段５４０は、ＣＭコンテンツの開始位置がスキップ手段６００によりスキップされなかった旨を記録制御手段４６０に通知する。そして、記録制御手段４６０は、再生制御手段５４０からの通知を受けて、スキップされなかった開始位置に対応する開始位置フラグ情報の値を、スキップ手段６００によりスキップされていないことを示す値に設定し直す（ステップＳ３８０）。その後、処理はステップＳ４００に遷移する。
【００６６】
ステップＳ４００では、再生制御手段５４０は、現在の再生位置が、ＣＭコンテンツの終了位置を過ぎたか否かについて判定する。もし、ＣＭコンテンツの終了位置を過ぎていないと再生制御手段５４０にて判定した場合（ステップＳ４００にてＮＯ）、処理はステップＳ４８０に遷移する。一方、ＣＭコンテンツの終了位置を過ぎたと再生制御手段５４０にて判定した場合（ステップＳ４００にてＹＥＳ）、再生制御手段５４０は、ＣＭコンテンツの終了位置がスキップ手段６００によりスキップされなかった旨を記録制御手段４６０に通知する。そして、記録制御手段４６０は、再生制御手段５４０からの通知を受けて、スキップされなかった終了位置に対応する終了位置フラグ情報の値を、スキップ手段６００によりスキップされていないことを示す値に設定し直す（ステップＳ４２０）。その後、処理はステップＳ４８０に遷移する。
【００６７】
ステップＳ３４０の判定処理に戻り、ＣＭコンテンツのスキップを要求する操作を受け付けたと操作受付手段５２０にて判定した場合（ステップＳ３４０にてＹＥＳ）、操作受付手段５２０は、ＣＭコンテンツのスキップ要求をスキップ手段６００に出力する。スキップ手段６００は、操作受付手段５２０から出力されたＣＭコンテンツのスキップ要求を受けて、スキップ要求に係るＣＭコンテンツをスキップさせるように再生制御手段５４０を制御する（ステップＳ４４０）。
【００６８】
次に、送信制御手段６４０は、再生制御手段５４０により再生される放送コンテンツに含まれるＣＭコンテンツのうちスキップ手段６００によりスキップされたＣＭコンテンツのみに関連する静止画ＣＭコンテンツを表示対象コンテンツとしてＣＭ転送サーバ１８０に送信する（ステップＳ４６０）。ＣＭ転送サーバ１８０に送信された静止画ＣＭコンテンツは、その後、録画再生装置１６０を使用するユーザが所持する携帯端末２００に電子メールで送信される。
【００６９】
最後に、再生制御手段５４０は、ステップＳ３２０にて再生を開始した放送コンテンツを最後まで再生したか否かについて判定する（ステップＳ４８０）。もし、放送コンテンツを最後まで再生していないと再生制御手段５４０にて判定した場合（ステップＳ４８０にてＮＯ）、処理はステップＳ３４０に遷移する。一方、放送コンテンツを最後まで再生したと再生制御手段５４０にて判定した場合（ステップＳ４８０にてＹＥＳ）、録画再生装置１６０は図５における処理を終了する。
【００７０】
以上詳しく説明したように、第１の実施形態では、放送コンテンツの再生中に任意のＣＭコンテンツをスキップさせるためのユーザ操作に基づいて、当該放送コンテンツに含まれるＣＭコンテンツをスキップさせる場合、再生される番組コンテンツＢを第１の表示部５８０に表示させる一方、スキップさせるＣＭコンテンツＢ〜Ｄに関連する静止画ＣＭコンテンツＢ〜Ｄを、ＣＭ転送サーバ１８０を介して携帯端末２００に送信し、携帯端末２００に設けられた第２の表示部８８０に表示させるようにしている。
【００７１】
このように構成した第１の実施形態によれば、ユーザ操作により任意のＣＭコンテンツをスキップさせると、そのスキップされたＣＭコンテンツのみに関連する静止画ＣＭコンテンツが携帯端末２００に送信されて表示されるため、スキップされるＣＭに対するユーザの視聴機会が減ることはない。よって、ＣＭをスキップして番組本編を早く見たいというユーザの希望を満たしつつ、ＣＭコンテンツの宣伝効果を維持することができる。また、スキップされるＣＭコンテンツに関連する静止画ＣＭコンテンツは、番組コンテンツが表示される第１の表示部５８０（録画再生装置１６０）とは別の第２の表示部８８０（携帯端末２００）に表示されるため、番組コンテンツの視聴中に静止画ＣＭコンテンツの存在に気が散ったり、番組コンテンツの表示範囲が狭くなったりするといったことは発生せず、番組コンテンツの視聴しづらさをユーザに感じさせないようにすることができる。
【００７２】
また、第１の実施形態によれば、スキップされた直後に再生される番組コンテンツＢと、その番組コンテンツの１つ前に再生された番組コンテンツＡとの間に挿入されたＣＭコンテンツＡ〜Ｄのうち、スキップされたことを示す値が開始位置フラグ情報および終了位置フラグ情報の少なくとも何れかに設定されているＣＭコンテンツＢ〜Ｄのみに関連する静止画ＣＭコンテンツＢ〜Ｄを表示対象コンテンツとして携帯端末２００に送信するようにしている。これにより、ＣＭコンテンツの最初または最後を視聴しただけでは、当該ＣＭコンテンツに関連する静止画ＣＭコンテンツが携帯端末２００に送信される。つまり、ＣＭコンテンツに対するユーザの視聴が十分でないことを確実に検知して静止画ＣＭコンテンツを携帯端末２００に送信し、携帯端末２００に設けられた第２の表示部８８０に表示させることによりＣＭコンテンツの宣伝効果を維持することができる。
【００７３】
例えば、図２（ｂ）に示した例のように、ＣＭコンテンツＢの途中から番組コンテンツＢの途中までスキップした状況を考える。この状況において、ユーザは、番組コンテンツＢの最初から視聴したいと思い巻き戻しを行うときがある。このとき、ＣＭコンテンツＤの途中まで巻き戻して再生する場合、ＣＭコンテンツＤの終了位置に対応する終了位置フラグ情報９７０は、スキップ手段６００によりスキップされていないことを示す値に設定し直される。しかし、送信制御手段６４０は、スキップ手段６００によりスキップされたことを示す値が開始位置フラグ情報９６０に設定されているため、ＣＭコンテンツＤに関連する静止画ＣＭコンテンツＤを表示対象コンテンツとして、ＣＭ転送サーバ１８０を介して携帯端末２００に送信する。つまり、ＣＭコンテンツＤに対するユーザの視聴が十分でないことを確実に検知して静止画ＣＭコンテンツを携帯端末２００に送信し、携帯端末２００に設けられた第２の表示部８８０に表示させることによりＣＭコンテンツＤの宣伝効果を維持することができる。
【００７４】
次に、本発明の第２の実施形態を図面に基づいて説明する。図６は、第２の実施形態によるＣＭコンテンツ表示システム１００の構成例を示すブロック図である。なお、この図６において、図１に示した符号と同一の符号を付したものは同一の機能を有するものであるので、ここでは重複する説明を省略する。
【００７５】
第２の実施形態において、録画再生装置１６０は、図１の記録制御手段４６０、操作受付手段５２０、再生制御手段５４０、スキップ手段６００および送信制御手段６４０に代えて記録制御手段４６０′、操作受付手段５２０′、再生制御手段５４０′、スキップ手段６００′および送信制御手段６４０′を備えて構成されている。また、録画再生装置１６０は、モード情報記憶部６６０を更に備えて構成されている。
【００７６】
記録制御手段４６０′は、操作受付手段５２０′により放送コンテンツの録画予約を入力する操作が受け付けられた場合、その録画予約に関する録画予約情報を録画予約情報記憶部３８０に記録する。また、記録制御手段４６０′は、放送コンテンツ受信手段４００から放送コンテンツが出力された場合、その放送コンテンツを放送コンテンツ記憶部４８０に記録する。また、記録制御手段４６０′は、ＣＭ放送情報受信手段４２０からＣＭ放送情報が出力された場合、そのＣＭ放送情報をＣＭ情報記憶部５００に記録する。
【００７７】
また、記録制御手段４６０′は、ＣＭメタ情報受信手段４４０からＣＭメタ情報が出力された場合、そのＣＭメタ情報をＣＭ情報記憶部５００に記録する。また、記録制御手段４６０′は、モードの設定要求が操作受付手段５２０′から出力された場合、当該モードの設定に関するモード情報をモード情報記憶部６６０に記録する（つまり、モードの設定を行う）。なお、記録制御手段４６０′は、第１の実施形態と異なり、開始位置フラグ情報および終了位置フラグ情報を付与する処理、開始位置フラグ情報の値および終了位置フラグ情報の値を設定し直す処理は行わない。
【００７８】
操作受付手段５２０′は、図１の操作受付手段５２０の機能（ただし、任意のＣＭコンテンツのスキップを要求する操作を受け付ける処理は除く）に加えて、操作部を介し、放送コンテンツの再生中に当該放送コンテンツに含まれる全てのＣＭコンテンツを自動的にスキップさせるモードの設定を要求する操作を受け付ける。そして、操作受付手段５２０′は、モードの設定要求を記録制御手段４６０′に出力する。
【００７９】
再生制御手段５４０′は、所望の放送コンテンツの再生要求が操作受付手段５２０から出力された場合、再生要求に係る放送コンテンツを放送コンテンツ記憶部４８０から取り出して再生するように制御する。また、再生制御手段５４０′は、スキップ手段６００′の制御を受けて、再生中の放送コンテンツに含まれるＣＭコンテンツをスキップさせる。その際、再生制御手段５４０′は、スキップさせたＣＭコンテンツを送信制御手段６４０′に通知する。なお、再生制御手段５４０′は、第１の実施形態と異なり、ＣＭコンテンツの開始位置がスキップされたか否かを判定する処理、ＣＭコンテンツの終了位置がスキップされたか否かを判定する処理は行わない。
【００８０】
スキップ手段６００′は、モード情報記憶部６６０にモード情報が記憶されているか否かを判定し、記憶されていると判定した場合、再生制御手段５４０′による放送コンテンツの再生中に全てのＣＭコンテンツをスキップさせる。本実施形態では、番組コンテンツがモノラル放送で放送される一方、ＣＭコンテンツがステレオ放送で放送されることが多い実態を鑑みて、スキップ手段６００′は、再生制御手段５４０′による放送コンテンツの再生中、当該放送コンテンツの再生方式を監視し、モノラル放送（番組コンテンツ）からステレオ放送（ＣＭコンテンツ）に切り替わったか否かについて判定する。ステレオ放送（ＣＭコンテンツ）に切り替わったと判定した場合、スキップ手段６００′は、引き続き放送コンテンツの再生方式を監視し、ステレオ放送（ＣＭコンテンツ）からモノラル放送（番組コンテンツ）に切り替わるまでＣＭコンテンツをスキップさせるように再生制御手段５４０′を制御する。ここで、スキップ処理とは、早送りで再生させる処理または再生位置をスキップ終了位置まで一気に飛ばす処理などである。
【００８１】
なお、番組コンテンツよりＣＭコンテンツの方が、単位時間あたりの平均音量が大きいことが多い実態を鑑みて、スキップ手段６００′は、再生制御手段５４０′による放送コンテンツの再生中、当該放送コンテンツの平均音量を監視し、単位時間あたりの平均音量が所定値以上高くなるタイミング（すなわち、番組コンテンツからＣＭコンテンツに切り替わるタイミング）から、平均音量が所定値以上低くなるタイミング（すなわち、ＣＭコンテンツから番組コンテンツに切り替わるタイミング）までＣＭコンテンツをスキップさせるように再生制御手段５４０′を制御するようにしても良い。
【００８２】
送信制御手段６４０′は、再生制御手段５４０′により再生される放送コンテンツに含まれるＣＭコンテンツのうちスキップ手段６００′によりスキップされたＣＭコンテンツのみに関連する静止画ＣＭコンテンツを表示対象コンテンツとしてＣＭ転送サーバ１８０に送信する。具体的には、送信制御手段６４０′は、再生制御手段５４０′から通知されたＣＭコンテンツのＣＭ−ＩＤに対応する静止画ＣＭコンテンツをＣＭ情報記憶部５００から取り出し、取り出した静止画ＣＭコンテンツおよび、ユーザ特定情報記憶部６２０に記憶されているユーザＩＤをＣＭ転送サーバ１８０に送信する。ＣＭ転送サーバ１８０に送信された静止画ＣＭコンテンツは、その後、録画再生装置１６０を使用するユーザが所持する携帯端末２００に電子メールで送信される。
【００８３】
次に、第２の実施形態の録画再生装置１６０による再生制御および送信制御の動作について説明する。図７は、第２の実施形態の録画再生装置１６０による再生制御および送信制御の動作例を示すフローチャートである。図７におけるステップＳ６００の処理は、例えば、録画再生装置１６０が起動することにより開始する。
【００８４】
まず、操作受付手段５２０′は、操作部を介して、放送コンテンツ記憶部４８０に記憶されている放送コンテンツの中から所望の放送コンテンツの再生を要求する操作を受け付けたか否かについて判定する（ステップＳ６００）。もし、放送コンテンツの再生を要求する操作を受け付けていないと操作受付手段５２０′にて判定した場合（ステップＳ６００にてＮＯ）、処理はステップＳ６００に遷移する。
【００８５】
一方、放送コンテンツの再生を要求する操作を受け付けたと操作受付手段５２０′にて判定した場合（ステップＳ６００にてＹＥＳ）、操作受付手段５２０′は、放送コンテンツの再生要求を再生制御手段５４０′に出力する。再生制御手段５４０′は、操作受付手段５２０′から出力された再生要求を受けて、再生要求に係る放送コンテンツを放送コンテンツ記憶部４８０から取り出し再生を開始する（ステップＳ６２０）。
【００８６】
次に、スキップ手段６００′は、モード情報記憶部６６０にモード情報が記憶されているか否かについて判定する（ステップＳ６４０）。もし、モード情報が記憶されていないとスキップ手段６００′にて判定した場合（ステップＳ６４０にてＮＯ）、処理はステップＳ７２０に遷移する。一方、モード情報が記憶されているとスキップ手段６００′にて判定した場合（ステップＳ６４０にてＹＥＳ）、スキップ手段６００′は、再生制御手段５４０′により再生される放送コンテンツの再生方式を監視し、モノラル放送（番組コンテンツ）からステレオ放送（ＣＭコンテンツ）に切り替わったか否かについて判定する（ステップＳ６６０）。
【００８７】
もし、ステレオ放送（ＣＭコンテンツ）に切り替わっていないとスキップ手段６００′にて判定した場合（ステップＳ６６０にてＮＯ）、処理はステップＳ７２０に遷移する。一方、ステレオ放送（ＣＭコンテンツ）に切り替わったとスキップ手段６００′にて判定した場合（ステップＳ６６０にてＹＥＳ）、スキップ手段６００′は、引き続き放送コンテンツの再生方式を監視し、ステレオ放送（ＣＭコンテンツ）からモノラル放送（番組コンテンツ）に切り替わるまでＣＭコンテンツをスキップさせるように再生制御手段５４０′を制御する（ステップＳ６８０）。
【００８８】
次に、送信制御手段６４０′は、ステップＳ６８０にてスキップ手段６００′によりスキップされたＣＭコンテンツのみに関連する静止画ＣＭコンテンツを表示対象コンテンツとしてＣＭ転送サーバ１８０に送信する（ステップＳ７００）。その後、処理はステップＳ７２０に遷移する。ＣＭ転送サーバ１８０に送信された静止画ＣＭコンテンツは、その後、録画再生装置１６０を使用するユーザが所持する携帯端末２００に電子メールで送信される。
【００８９】
ステップＳ７２０では、再生制御手段５４０′は、ステップＳ６２０にて再生を開始した放送コンテンツを最後まで再生したか否かについて判定する。もし、放送コンテンツを最後まで再生していないと再生制御手段５４０′にて判定した場合（ステップＳ７２０にてＮＯ）、処理はステップＳ６４０に遷移する。一方、放送コンテンツを最後まで再生したと再生制御手段５４０′にて判定した場合（ステップＳ７２０にてＹＥＳ）、録画再生装置１６０は図７における処理を終了する。
【００９０】
なお、図７のフローチャートにおいて、ＣＭコンテンツがスキップされる度に、当該ＣＭコンテンツのみに関連する静止画ＣＭコンテンツを送信するのではなく、放送コンテンツが最後まで再生された後に、スキップされた全てのＣＭコンテンツに関連する静止画ＣＭコンテンツをまとめて送信するようにしても良い。
【００９１】
以上詳しく説明したように、第２の実施形態では、放送コンテンツに含まれる全てのＣＭコンテンツを自動的にスキップさせるモードの設定に応じて、当該放送コンテンツに含まれる全てのＣＭコンテンツをスキップさせる場合、再生される番組コンテンツを第１の表示部５８０に表示させる一方、スキップさせる全てのＣＭコンテンツに関連する静止画ＣＭコンテンツを、ＣＭ転送サーバ１８０を介して携帯端末２００に送信し、携帯端末２００に設けられた第２の表示部８８０に表示させるようにしている。
【００９２】
このように構成した第２の実施形態によれば、全てのＣＭコンテンツを自動的にスキップさせるモードの設定によりＣＭコンテンツをスキップさせると、そのスキップされたＣＭコンテンツに関連する静止画ＣＭコンテンツがユーザの携帯端末２００に送信されて表示されるため、スキップされるＣＭに対するユーザの視聴機会が減ることはない。よって、ＣＭをスキップして番組本編を早く見たいというユーザの希望を満たしつつ、ＣＭコンテンツの宣伝効果を維持することができる。
【００９３】
また、スキップされるＣＭコンテンツに関連する静止画ＣＭコンテンツは、番組コンテンツが表示される第１の表示部５８０（録画再生装置１６０）とは別の第２の表示部８８０（携帯端末２００）に表示されるため、番組コンテンツの視聴中に静止画ＣＭコンテンツの存在に気が散ったり、番組コンテンツの表示範囲が狭くなったりするといったことは発生せず、番組コンテンツの視聴しづらさをユーザに感じさせないようにすることができる。
【００９４】
次に、本発明の第３の実施形態を図面に基づいて説明する。図８は、第３の実施形態によるＣＭコンテンツ表示システム１００の構成例を示すブロック図である。なお、この図８において、図６（第２の実施形態によるＣＭコンテンツ表示システム１００の構成例）に示した符号と同一の符号を付したものは同一の機能を有するものであるので、ここでは重複する説明を省略する。第３の実施形態において、録画再生装置１６０は、図６の放送コンテンツ受信手段４００、再生制御手段５４０′および送信制御手段６４０′に代えて、放送コンテンツ受信手段４００′、再生制御手段５４０′′および送信制御手段６４０′′を備えて構成されている。
【００９５】
放送コンテンツ受信手段４００′は、録画予約情報記憶部３８０に記憶されている録画予約情報を参照し、現在の時間が録画予約の録画開始時間になった場合、当該録画予約に係る放送コンテンツを放送局１２０から受信する。そして、放送コンテンツ受信手段４００′は、受信した各放送コンテンツに付与されているイベントＩＤをＣＭ放送情報受信手段４２０および送信制御手段６４０′′に出力する。また、放送コンテンツ受信手段４００′は、受信した放送コンテンツを記録制御手段４６０′に出力する。
【００９６】
再生制御手段５４０′′は、所望の放送コンテンツの再生要求が操作受付手段５２０から出力された場合、再生要求に係る放送コンテンツを放送コンテンツ記憶部４８０から取り出して再生するように制御する。また、再生制御手段５４０′′は、スキップ手段６００′の制御を受けて、再生中の放送コンテンツに含まれるＣＭコンテンツをスキップさせる。なお、再生制御手段５４０′′は、第２の実施形態と異なり、スキップさせたＣＭコンテンツを送信制御手段６４０′′に通知する処理は行わない。
【００９７】
送信制御手段６４０′′は、記録制御手段４６０′による記録処理の際、モード情報記憶部６６０にモード情報が記憶されているか否かについて判定し、記憶されていると判定した場合、放送コンテンツ記憶部４８０に記録された放送コンテンツに含まれる全てのＣＭコンテンツに関連する静止画ＣＭコンテンツを表示対象コンテンツとして、ＣＭ転送サーバ１８０を介して携帯端末２００に送信するように制御する。
【００９８】
具体的には、送信制御手段６４０′′は、記録制御手段４６０′により放送コンテンツが放送コンテンツ記憶部４８０に記録されるとともに、ＣＭ放送情報およびＣＭメタ情報がＣＭ情報記憶部５００に記録された後、放送コンテンツ受信手段４００′から出力されたイベントＩＤと同じＣＭメタ情報に含まれている静止画ＣＭコンテンツをＣＭ情報記憶部５００から取り出す。そして、送信制御手段６４０′′は、取り出した静止画ＣＭコンテンツおよび、ユーザ特定情報記憶部６２０に記憶されているユーザＩＤをＣＭ転送サーバ１８０に送信する。ＣＭ転送サーバ１８０に送信された静止画ＣＭコンテンツは、その後、録画再生装置１６０を使用するユーザが所持する携帯端末２００に電子メールで送信される。
【００９９】
次に、第３の実施形態の録画再生装置１６０による記録制御および送信制御の動作について説明する。図９は、第３の実施形態の録画再生装置１６０による送信制御動作例を示すフローチャートである。図９におけるステップＳ８００の処理は、例えば、現在の時間が、録画予約の録画開始時間になったことにより開始する。
【０１００】
まず、放送コンテンツ受信手段４００′は、録画予約に係る放送コンテンツを放送局１２０から受信する（ステップＳ８００）。そして、放送コンテンツ受信手段４００′は、受信した各放送コンテンツに付与されているイベントＩＤをＣＭ放送情報受信手段４２０および送信制御手段６４０′′に出力する。また、放送コンテンツ受信手段４００′は、受信した放送コンテンツを記録制御手段４６０′に出力する。
【０１０１】
次に、記録制御手段４６０′は、放送コンテンツ受信手段４００′から出力された放送コンテンツを放送コンテンツ記憶部４８０に記録する（ステップＳ８２０）。次に、ＣＭ放送情報受信手段４２０は、放送コンテンツ受信手段４００′から出力されたイベントＩＤを含むＣＭ情報取得要求をＣＭ情報提供サーバ１４０のＣＭ放送情報送信手段３４０に送信し、その応答としてＣＭ放送情報送信手段３４０から送信されたＣＭ放送情報を受信し記録制御手段４６０′に出力する（ステップＳ８４０）。
【０１０２】
次に、ＣＭメタ情報受信手段４４０は、上述のＣＭ情報取得要求に対する応答としてＣＭ情報提供サーバ１４０のＣＭメタ情報送信手段３６０から送信されたＣＭメタ情報を受信し記録制御手段４６０′に出力する（ステップＳ８６０）。
【０１０３】
次に、記録制御手段４６０′は、ＣＭ放送情報受信手段４２０から出力されたＣＭ放送情報、および、ＣＭメタ情報受信手段４４０から出力されたＣＭメタ情報をＣＭ情報記憶部５００に記録する（ステップＳ８８０）。次に、送信制御手段６４０′′は、モード情報記憶部６６０にモード情報が記憶されているか否かについて判定する（ステップＳ９００）。もし、モード情報が記憶されていないと送信制御手段６４０′′にて判定した場合（ステップＳ９００にてＮＯ）、録画再生装置１６０は図９における処理を終了する。
【０１０４】
一方、モード情報が記憶されていると送信制御手段６４０′′にて判定した場合（ステップＳ９００にてＹＥＳ）、送信制御手段６４０′′は、放送コンテンツ記憶部４８０に記録された放送コンテンツに含まれる全てのＣＭコンテンツに関連する静止画ＣＭコンテンツを表示対象コンテンツとしてＣＭ転送サーバ１８０に送信する（ステップＳ９２０）。ＣＭ転送サーバ１８０に送信された静止画ＣＭコンテンツは、その後、録画再生装置１６０を使用するユーザが所持する携帯端末２００に電子メールで送信される。ステップＳ９２０の処理が完了することによって、録画再生装置１６０は図９における処理を終了する。
【０１０５】
次に、第３の実施形態の録画再生装置１６０による再生制御動作について説明する。図１０は、第３の実施形態の録画再生装置１６０による再生制御動作例を示すフローチャートである。図１０におけるステップＳ１０００の処理は、例えば、録画再生装置１６０が起動することにより開始する。
【０１０６】
まず、操作受付手段５２０′は、操作部を介して、放送コンテンツ記憶部４８０に記憶されている放送コンテンツの中から所望の放送コンテンツの再生を要求する操作を受け付けたか否かについて判定する（ステップＳ１０００）。もし、放送コンテンツの再生を要求する操作を受け付けていないと操作受付手段５２０′にて判定した場合（ステップＳ１０００にてＮＯ）、処理はステップＳ１０００に遷移する。
【０１０７】
一方、放送コンテンツの再生を要求する操作を受け付けたと操作受付手段５２０′にて判定した場合（ステップＳ１０００にてＹＥＳ）、操作受付手段５２０′は、放送コンテンツの再生要求を再生制御手段５４０′′に出力する。再生制御手段５４０′′は、操作受付手段５２０′から出力された再生要求を受けて、再生要求に係る放送コンテンツを放送コンテンツ記憶部４８０から取り出し再生を開始する（ステップＳ１０２０）。
【０１０８】
次に、スキップ手段６００′は、モード情報記憶部６６０にモード情報が記憶されているか否かについて判定する（ステップＳ１０４０）。もし、モード情報が記憶されていないとスキップ手段６００′にて判定した場合（ステップＳ１０４０にてＮＯ）、処理はステップＳ１１００に遷移する。一方、モード情報が記憶されているとスキップ手段６００′にて判定した場合（ステップＳ１０４０にてＹＥＳ）、スキップ手段６００′は、再生制御手段５４０′′により再生される放送コンテンツの再生方式を監視し、モノラル放送（番組コンテンツ）からステレオ放送（ＣＭコンテンツ）に切り替わったか否かについて判定する（ステップＳ１０６０）。
【０１０９】
もし、ステレオ放送（ＣＭコンテンツ）に切り替わっていないとスキップ手段６００′にて判定した場合（ステップＳ１０６０にてＮＯ）、処理はステップＳ１１００に遷移する。一方、ステレオ放送（ＣＭコンテンツ）に切り替わったとスキップ手段６００′にて判定した場合（ステップＳ１０６０にてＹＥＳ）、スキップ手段６００′は、引き続き放送コンテンツの再生方式を監視し、ステレオ放送（ＣＭコンテンツ）からモノラル放送（番組コンテンツ）に切り替わるまでＣＭコンテンツをスキップさせるように再生制御手段５４０′′を制御する（ステップＳ１０８０）。その後、処理はステップＳ１１００に遷移する。
【０１１０】
ステップＳ１１００では、再生制御手段５４０′′は、ステップＳ１０２０にて再生を開始した放送コンテンツを最後まで再生したか否かについて判定する。もし、放送コンテンツを最後まで再生していないと再生制御手段５４０′′にて判定した場合（ステップＳ１１００にてＮＯ）、処理はステップＳ１０４０に遷移する。一方、放送コンテンツを最後まで再生したと再生制御手段５４０′′にて判定した場合（ステップＳ１１００にてＹＥＳ）、録画再生装置１６０は図１０における処理を終了する。
【０１１１】
以上詳しく説明したように、第３の実施形態では、放送コンテンツに含まれる全てのＣＭコンテンツを自動的にスキップさせるモードの設定に応じて、記録制御手段４６０′による記録処理が行われる際、記録された放送コンテンツに含まれる全てのＣＭコンテンツに関連する静止画ＣＭコンテンツを表示対象コンテンツとして携帯端末２００に送信し、携帯端末２００に設けられた第２の表示部８８０に表示させるようにしている。
【０１１２】
このように構成した第３の実施形態によれば、ＣＭも見たいというユーザは、モードを設定しておけば、番組の再生と関係なくＣＭを携帯端末２００で見ることができる。しかも、放送コンテンツ記憶部４８０に記録された放送コンテンツを再生する前に、当該放送コンテンツに含まれる全てのＣＭコンテンツに関連する静止画ＣＭコンテンツがユーザの携帯端末２００に送信されるため、放送コンテンツの再生前にいち早く静止画ＣＭコンテンツを見ることができる。
【０１１３】
次に、本発明の第４の実施形態を図面に基づいて説明する。図１１は、第４の実施形態によるＣＭコンテンツ表示システム１００の構成例を示すブロック図である。なお、この図１１において、図６（第２の実施形態によるＣＭコンテンツ表示システム１００の構成例）に示した符号と同一の符号を付したものは同一の機能を有するものであるので、ここでは重複する説明を省略する。
【０１１４】
第４の実施形態において、録画再生装置１６０は、図６の放送コンテンツ受信手段４００、ＣＭ放送情報受信手段４２０、ＣＭメタ情報受信手段４４０、再生制御手段５４０′および送信制御手段６４０′に代えて放送コンテンツ受信手段４００′′、ＣＭ放送情報受信手段４２０′、ＣＭメタ情報受信手段４４０′、再生制御手段５４０′′および送信制御手段６４０′′′を備えて構成されている。また、第４の実施形態において、録画再生装置１６０は、イベントＩＤ出力手段１０００を更に備えている。
【０１１５】
録画再生装置１６０のイベントＩＤ出力受信手段１０００は、記録制御手段４６０′により録画予約に関する録画予約情報が録画予約情報記憶部３８０に記録された場合、モード情報記憶部６６０にモード情報が記憶されているか否かについて判定する。そして、記憶されていると判定したとき、イベントＩＤ出力手段１０００は、録画予約情報に含まれるイベントＩＤをＣＭ放送情報受信手段４２０′および送信制御手段６４０′′′に出力する。
【０１１６】
放送コンテンツ受信手段４００′′は、録画予約情報記憶部３８０に記憶されている録画予約情報を参照し、現在の時間が録画予約の録画開始時間になった場合、当該録画予約に係る放送コンテンツを放送局１２０から受信して記録制御手段４６０′に出力する。なお、放送コンテンツ受信手段４００′′は、第１〜第３の実施形態と異なり、受信した各放送コンテンツに付与されているイベントＩＤをＣＭ放送情報受信手段４２０′および送信制御手段６４０′′′に出力する処理を行わない。
【０１１７】
ＣＭ放送情報受信手段４２０′は、イベントＩＤ出力手段１０００からイベントＩＤが出力された場合、そのイベントＩＤを含むＣＭ情報取得要求をＣＭ情報提供サーバ１４０のＣＭ放送情報送信手段３４０に送信する。その後、ＣＭ放送情報受信手段４２０′は、ＣＭ放送情報送信手段３４０から送信されたＣＭ放送情報を受信して記録制御手段４６０′に出力する。
【０１１８】
ＣＭメタ情報受信手段４４０′は、上述のＣＭ情報取得要求に対する応答としてＣＭ情報提供サーバ１４０のＣＭメタ情報送信手段３６０から送信されたＣＭメタ情報を受信して記録制御手段４６０′に出力する。
【０１１９】
再生制御手段５４０′′は、所望の放送コンテンツの再生要求が操作受付手段５２０から出力された場合、再生要求に係る放送コンテンツを放送コンテンツ記憶部４８０から取り出して再生するように制御する。また、再生制御手段５４０′′は、スキップ手段６００′の制御を受けて、再生中の放送コンテンツに含まれるＣＭコンテンツをスキップさせる。なお、再生制御手段５４０′′は、第２の実施形態と異なり、スキップさせたＣＭコンテンツを送信制御手段６４０′′′に通知する処理は行わない。
【０１２０】
送信制御手段６４０′′′は、イベントＩＤ出力手段１０００からイベントＩＤが出力された場合、記録制御手段４６０′によりＣＭ放送情報およびＣＭメタ情報がＣＭ情報記憶部５００に記録された後、そのイベントＩＤと同じＣＭメタ情報に含まれている静止画ＣＭコンテンツをＣＭ情報記憶部５００から取り出す。そして、送信制御手段６４０′′′は、取り出した静止画ＣＭコンテンツおよび、ユーザ特定情報記憶部６２０に記憶されているユーザＩＤをＣＭ転送サーバ１８０に送信する。ＣＭ転送サーバ１８０に送信された静止画ＣＭコンテンツは、その後、録画再生装置１６０を使用するユーザが所持する携帯端末２００に電子メールで送信される。
【０１２１】
次に、第４の実施形態の録画再生装置１６０による録画予約および送信制御の動作について説明する。図１２は、第４の実施形態の録画再生装置１６０による録画予約および送信制御の動作例を示すフローチャートである。図１２におけるステップＳ１２００の処理は、例えば、録画再生装置１６０が起動することにより開始する。
【０１２２】
まず、記録制御手段４６０′は、操作受付手段５２０′により放送コンテンツの録画予約を入力する操作が受け付けられたか否かについて判定する（ステップＳ１２００）。もし、録画予約を入力する操作が受け付けられていないと記録制御手段４６０′にて判定した場合（ステップＳ１２００にてＮＯ）、処理はステップＳ１２００に遷移する。一方、録画予約を入力する操作が受け付けられたと記録制御手段４６０′にて判定した場合（ステップＳ１２００にてＹＥＳ）、記録制御手段４６０′は、その録画予約に関する録画予約情報を録画予約情報記憶部３８０に記録する（ステップＳ１２２０）。
【０１２３】
次に、イベントＩＤ出力手段１０００は、モード情報記憶部６６０にモード情報が記憶されているか否かについて判定する（ステップＳ１２４０）。もし、モード情報が記憶されていないとイベントＩＤ出力手段１０００にて判定した場合（ステップＳ１２４０にてＮＯ）、録画再生装置１６０は図１２における処理を終了する。
【０１２４】
一方、モード情報が記憶されているとイベントＩＤ出力手段１０００にて判定した場合（ステップＳ１２４０にてＹＥＳ）、イベントＩＤ出力手段１０００は、ステップＳ１２２０にて記録された録画予約情報に含まれるイベントＩＤをＣＭ放送情報受信手段４２０′および送信制御手段６４０′′′に出力する（ステップＳ１２６０）。
【０１２５】
次に、ＣＭ放送情報受信手段４２０′は、イベントＩＤ出力手段１０００から出力されたイベントＩＤを含むＣＭ情報取得要求をＣＭ情報提供サーバ１４０のＣＭ放送情報送信手段３４０に送信し、その応答としてＣＭ放送情報送信手段３４０から送信されたＣＭ放送情報を受信して記録制御手段４６０′に出力する（ステップＳ１２８０）。
【０１２６】
次に、ＣＭメタ情報受信手段４４０′は、上述のＣＭ情報取得要求に対する応答としてＣＭ情報提供サーバ１４０のＣＭメタ情報送信手段３６０から送信されたＣＭメタ情報を受信して記録制御手段４６０′に出力する（ステップＳ１３００）。次に、記録制御手段４６０′は、ＣＭ放送情報受信手段４２０′から出力されたＣＭ放送情報、および、ＣＭメタ情報受信手段４４０′から出力されたＣＭメタ情報をＣＭ情報記憶部５００に記録する（ステップＳ１３２０）。
【０１２７】
最後に、送信制御手段６４０′′′は、イベントＩＤ出力手段１０００から出力されたイベントＩＤと同じＣＭメタ情報に含まれている静止画ＣＭコンテンツをＣＭ情報記憶部５００から取り出し、取り出した静止画ＣＭコンテンツおよび、ユーザ特定情報記憶部６２０に記憶されているユーザＩＤをＣＭ転送サーバ１８０に送信する（ステップＳ１３４０）。ＣＭ転送サーバ１８０に送信された静止画ＣＭコンテンツは、その後、録画再生装置１６０を使用するユーザが所持する携帯端末２００に電子メールで送信される。ステップＳ１３４０の処理が完了することによって、録画再生装置１６０は図１２における処理を終了する。
【０１２８】
なお、図１２における処理を終了した後、録画再生装置１６０が放送コンテンツなどの記録制御処理を行う場合、記録制御手段４６０′は、同じＣＭ放送情報およびＣＭメタ情報が既にＣＭ情報記憶部５００に記録されているか否かについて判定し、記録されていないと判定した場合に限り、ＣＭ放送情報およびＣＭメタ情報を記録する。
【０１２９】
以上詳しく説明したように、第４の実施形態では、放送コンテンツの録画予約がされた後で放送コンテンツの受信が開始される前に、放送コンテンツに含まれる全てのＣＭコンテンツを自動的にスキップさせるモードの設定に応じて、当該放送コンテンツに含まれる全てのＣＭコンテンツに関連する静止画ＣＭコンテンツを表示対象コンテンツとして携帯端末２００に送信し、携帯端末２００に設けられた第２の表示部８８０に表示させるようにしている。
【０１３０】
このように構成した第４の実施形態によれば、ＣＭも見たいというユーザは、モードを設定しておけば、番組の再生と関係なくＣＭを携帯端末２００で見ることができる。しかも、放送コンテンツの受信が開始される前に、当該放送コンテンツに含まれる全てのＣＭコンテンツに関連する静止画ＣＭコンテンツがユーザの携帯端末２００に送信されて表示されるため、録画予約に係る放送コンテンツの受信前にいち早く静止画ＣＭコンテンツを見ることができる。
【０１３１】
以上に説明した第１〜第４の実施形態による録画再生装置１６０の機能は、ソフトウェアによって実現される。実際には、録画再生装置１６０がＣＰＵあるいはＭＰＵ、ＲＡＭ、ＲＯＭなどを備えて構成され、ＲＡＭやＲＯＭに記憶されたプログラム（本発明のＣＭコンテンツ送信制御用プログラムに対応）が動作することによって実現できる。なお、上記第１〜第４の実施形態の機能を果たすように動作させるプログラムを例えばＣＤ−ＲＯＭのような記録媒体に記録し、録画再生装置１６０に読み込ませることによって実現することも可能である。
【０１３２】
上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムを放送回線（放送波）またはインターネット等のネットワークを介して録画再生装置１６０にダウンロードするようにしても良い。
【０１３３】
なお、上記第１〜第３の実施形態では、静止画ＣＭコンテンツを表示対象コンテンツとして携帯端末２００に送信する例について説明したが、本発明はこれに限定されない。例えば、静止画ＣＭコンテンツに代えて、スキップ手段６００（６００′）によりスキップされるＣＭコンテンツを放送コンテンツ記憶部４８０から取り出し、取り出したＣＭコンテンツを表示対象コンテンツとして携帯端末２００に送信するようにしても良い。これにより、携帯端末２００においてスキップされるＣＭコンテンツそのものをユーザに視聴させることができるため、静止画ＣＭコンテンツを視聴させる場合よりも、ＣＭコンテンツの宣伝効果を向上させることができる。
【０１３４】
また、上記第１〜第３の実施形態では、放送コンテンツ受信手段４００（４００′）により受信された各放送コンテンツに付与されているイベントＩＤを用いて、ＣＭ情報提供サーバ１４０からＣＭ放送情報およびＣＭメタ情報を取得する例について説明したが、本発明はこれに限定されない。例えば、放送コンテンツ受信手段４００（４００′）により受信された各放送コンテンツに付与されている放送種別情報、放送チャンネル情報および放送開始時間情報（これらの情報を以下、放送コンテンツ情報という）から放送コンテンツを一意に特定可能であるため、放送コンテンツ情報を用いて、ＣＭ情報提供サーバ１４０からＣＭ放送情報およびＣＭメタ情報を取得するようにしても良い。
【０１３５】
この場合、放送コンテンツ受信手段４００（４００′）は、受信した各放送コンテンツに付与されている放送コンテンツ情報をＣＭ放送情報受信手段４２０に出力する。ＣＭ放送情報受信手段４２０は、放送コンテンツ情報を含むＣＭ情報取得要求をＣＭ放送情報送信手段３４０に送信する。ＣＭ放送情報送信手段３４０は、放送コンテンツ情報に関連するＣＭ放送情報をＣＭ放送情報記憶部３００から取り出してＣＭ放送情報受信手段４２０に送信する。また、ＣＭメタ情報送信手段３６０は、例えば、ＣＭ放送情報送信手段３４０から放送コンテンツ情報を取得し、当該放送コンテンツ情報に関連するＣＭメタ情報をＣＭメタ情報記憶部３２０から取り出してＣＭメタ情報受信手段４４０に送信する。
【０１３６】
また、放送コンテンツ受信手段４００（４００′）により受信された放送コンテンツに含まれる各ＣＭコンテンツにＣＭ−ＩＤが付与されている場合には、そのＣＭ−ＩＤを用いて、ＣＭ情報提供サーバ１４０からＣＭ放送情報およびＣＭメタ情報を取得するようにしても良い。この場合、放送コンテンツ受信手段４００（４００′）は、受信した各ＣＭコンテンツに付与されているＣＭ−ＩＤをＣＭ放送情報受信手段４２０に出力する。ＣＭ放送情報受信手段４２０は、ＣＭ−ＩＤを含むＣＭ情報取得要求をＣＭ放送情報送信手段３４０に送信する。ＣＭ放送情報送信手段３４０は、ＣＭ−ＩＤに関連するＣＭ放送情報をＣＭ放送情報記憶部３００から取り出してＣＭ放送情報受信手段４２０に送信する。また、ＣＭメタ情報送信手段３６０は、例えば、ＣＭ放送情報送信手段３４０からＣＭ−ＩＤを取得し、当該ＣＭ−ＩＤに関連するＣＭメタ情報をＣＭメタ情報記憶部３２０から取り出してＣＭメタ情報受信手段４４０に送信する。
【０１３７】
また、上記第３、第４の実施形態では、放送コンテンツに含まれる全てのＣＭコンテンツを自動的にスキップさせるモードの設定に応じて、再生制御手段５４０′′による放送コンテンツの再生中に全てのＣＭコンテンツをスキップさせる例について説明したが、本発明はこれに限定されない。例えば、スキップ手段６００′が、放送コンテンツの再生中に全てのＣＭコンテンツをスキップさせるのではなく、記録制御手段４６０′による放送コンテンツの記録中に全てのＣＭコンテンツをスキップさせる（つまり、ＣＭコンテンツ以外の番組コンテンツのみを放送コンテンツ記憶部４８０に記録する）ようにしても良い。このようにすれば、自動スキップさせることがあらかじめ設定されたために録画再生装置１６０では再生されることのないＣＭコンテンツを、録画再生装置１６０の放送コンテンツ記憶部４８０に記録しておく必要がない。そのため、ＣＭコンテンツを記憶しなくて済む分だけ、より多くの番組コンテンツを放送コンテンツ記憶部４８０に記録させることができる。
【０１３８】
なお、記録制御手段４６０′による放送コンテンツの記録中に全てのＣＭコンテンツをスキップさせる場合において、記録制御手段４６０′が全てのＣＭコンテンツを送信制御手段６４０に供給するようにすることにより、自動スキップされるＣＭコンテンツを全て携帯端末２００に転送させることができる。このようにすれば、携帯端末２００にてＣＭコンテンツを再生して表示することができ、ＣＭをスキップして番組本編を早く見たいというユーザの希望を満たしつつ、ＣＭコンテンツの宣伝効果を維持することができる。
【０１３９】
また、上記第３、第４の実施形態では、ＣＭコンテンツを自動的にスキップさせるモードの設定に応じて、スキップさせるＣＭコンテンツに関連する静止画ＣＭコンテンツを、ＣＭ転送サーバ１８０を介して携帯端末２００に送信する例について説明したが、本発明はこれに限定されない。例えば、放送コンテンツに含まれる全てのＣＭコンテンツを自動的に携帯端末２００に転送させるモードの設定に応じて、当該ＣＭコンテンツに関連する静止画ＣＭコンテンツを、ＣＭ転送サーバ１８０を介して携帯端末２００に送信するようにしても良い。この場合、放送コンテンツの再生中、当該放送コンテンツに含まれるＣＭコンテンツは、任意のＣＭコンテンツのスキップを要求する操作、または、ＣＭコンテンツを自動的にスキップさせるモードの設定に応じてスキップされる。
【０１４０】
さらに、自動的に転送させるモードの設定に応じて静止画ＣＭコンテンツを送信する場合、携帯端末２００の静止画ＣＭコンテンツ記憶部８２０に、１度も表示されていない静止画ＣＭコンテンツが所定数以上記憶されているとき、その後受信された静止画ＣＭコンテンツを静止画ＣＭコンテンツ記憶部８２０に記録せずに削除するようにしても良い。自動的に転送させるモードが設定されるということは、ＣＭを携帯端末２００で見たいというユーザの明確な意思である。しかし、ユーザは携帯端末２００で受信された静止画ＣＭコンテンツを随時表示させて見ていかないと、新しい静止画ＣＭコンテンツを携帯端末２００で見ることができない。つまり、携帯端末２００において未視聴の静止画ＣＭコンテンツの数に上限を設定することによって、携帯端末２００で受信された静止画ＣＭコンテンツに対するユーザの視聴を促進することができ、ＣＭコンテンツの宣伝効果を維持することができる。
【０１４１】
また、上記第１〜第４の実施形態では、ＣＭメタ情報には静止画ＣＭコンテンツが含まれている例について説明したが、本発明はこれに限定されない。例えば、ＣＭメタ情報には必ずしも静止画ＣＭコンテンツが含まれていなくてもよい。この場合、記録制御手段４６０（４６０′）は、ＣＭコンテンツから特定のフレーム画像（例えば、先頭から５秒の位置のフレーム画像）を抽出し、その抽出した画像の上に、ＣＭメタ情報に含まれる商品・サービス名情報により示される商品名・サービス名を重畳した画像を静止画ＣＭコンテンツとしてＣＭ情報記憶部５００に記録する。
【０１４２】
また、上記第１〜第４の実施形態では、ＣＭ転送サーバ１８０を介して静止画ＣＭコンテンツを携帯端末２００に送信する例について説明したが、本発明はこれに限定されない。例えば、ＣＭ転送サーバ１８０を介さずに、静止画ＣＭコンテンツを携帯端末２００に直接送信するようにしても良い。この場合、静止画ＣＭコンテンツの送信元である録画再生装置１６０は、送信先である携帯端末２００のメールアドレスを示すメールアドレス情報をユーザ特定情報記憶部６２０に保持する。例えば、ユーザが録画再生装置１６０の操作部を介して携帯端末２００のメールアドレスを入力すると、当該メールアドレスを示すメールアドレス情報が記録制御手段４６０（４６０′）によってユーザ特定情報記憶部６２０に記録される。
【０１４３】
また、上記第１〜第４の実施形態において、携帯端末２００の静止画ＣＭコンテンツ受信手段８００が静止画ＣＭコンテンツを受信した場合、静止画ＣＭコンテンツが受信された旨を示す画像を第２の表示部８８０に表示したり、静止画ＣＭコンテンツが受信された旨を音声で警告したりしても良い。
【０１４４】
また、上記第１〜第４の実施形態では、携帯端末２００において、静止画ＣＭコンテンツの表示を要求する操作を受け付けることによって静止画ＣＭコンテンツを表示する例について説明したが、本発明はこれに限定されない。例えば、携帯端末２００において、静止画ＣＭコンテンツが受信された直後にすぐ表示するようにしても良い。このようにすれば、ユーザの意思とは関係なく静止画ＣＭコンテンツが受信直後に表示されるため、ユーザにＣＭを視聴させたいという企業の意図に対して確実に沿うことができる。
【０１４５】
また、上記第１〜第４の実施形態において、第２の表示部８８０に１度も表示したことがない（つまり、ユーザが１度も視聴したことがない）静止画ＣＭコンテンツについて、静止画ＣＭコンテンツの表示態様は、静止画ＣＭコンテンツに対応するＣＭコンテンツが含まれる放送コンテンツ単位のみで（つまり、放送コンテンツが放送局１２０から送信されるときにおける当該放送コンテンツの構成に従って）表示するようにしても良い。また、第２の表示部８８０に１度でも表示したことがある（つまり、ユーザが１度でも視聴したことがある）静止画ＣＭコンテンツについて、静止画ＣＭコンテンツの表示態様は、静止画ＣＭコンテンツに対応するＣＭコンテンツの例えば広告主などでソートして表示するようにしても良い。
【０１４６】
また、上記第１〜第４の実施形態において、携帯端末２００の第２の表示部８８０に１度でも表示したことがある静止画ＣＭコンテンツの中でユーザが任意に選択した静止画ＣＭコンテンツに対して、お気に入りの登録を行えるようにしても良い。具体的には、お気に入りの登録対象の静止画ＣＭコンテンツを、携帯端末２００のメモリに設けられた所定のフォルダに格納する。そして、ユーザがお気に入りの登録を行った静止画ＣＭコンテンツを表示させる操作を行った場合には、当該静止画ＣＭコンテンツを所定のフォルダから取り出し、取り出した静止画ＣＭコンテンツを第２の表示部８８０に表示する。
【０１４７】
また、上記第１〜第４の実施形態において、携帯端末２００の第２の表示部８８０に静止画ＣＭコンテンツを１度表示したら、その静止画ＣＭコンテンツを静止画ＣＭコンテンツ記憶部８２０から削除するようにしても良い。
【０１４８】
また、上記第１〜第４の実施形態において、第２の表示部８８０に静止画ＣＭコンテンツが表示されている場合、当該静止画ＣＭコンテンツを選択するためのユーザ操作に基づいて、選択された静止画ＣＭコンテンツに関連するＷｅｂサイトにアクセスしてＷｅｂページを取得し、当該取得したＷｅｂページを第２の表示部８８０に表示させるようにしても良い。この場合、静止画ＣＭコンテンツに対応するＣＭコンテンツに関連するＷｅｂサイトを識別するためのリンク先ＵＲＬ情報（ＣＭメタ情報に含まれる）も当該静止画ＣＭコンテンツと関連付けて、ＣＭ転送サーバ１８０を介して携帯端末２００に送信する。なお、この場合のＷｅｂサイトにＣＭコンテンツをリンクさせておくことにより、ＣＭコンテンツを再生して表示させることができるようにしてもよい。
【０１４９】
また、上記第１〜第４の実施形態において、ＣＭ情報提供サーバ１４０とＣＭ転送サーバ１８０とが別々に構成されている例について説明したが、本発明はこれに限定されない。例えば、ＣＭ情報提供サーバ１４０とＣＭ転送サーバ１８０とは一体化して構成されていても良い。
【０１５０】
その他、上記第１〜第４の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１５１】
１６０  録画再生装置（ＣＭコンテンツ送信装置）
２００  携帯端末
４００，４００′，４００′′  放送コンテンツ受信手段
４６０，４６０′  記録制御手段
４８０  放送コンテンツ記憶部
５４０，５４０′，５４０′′  再生制御手段
５６０  表示制御手段
５８０  第１の表示部
６００，６００′  スキップ手段
６４０，６４０′，６４０′′，６４０′′′  送信制御手段
８８０  第２の表示部
【図１】
0005814695.tif 000002
【図２】
0005814695.tif 000003
【図３】
0005814695.tif 000004
【図４】
0005814695.tif 000005
【図５】
0005814695.tif 000006
【図６】
0005814695.tif 000007
【図７】
0005814695.tif 000008
【図８】
0005814695.tif 000009
【図９】
0005814695.tif 000010
【図１０】
0005814695.tif 000011
【図１１】
0005814695.tif 000012
【図１２】
0005814695.tif 000013